(57)【特許請求の範囲】
【請求項１】
少なくとも紙幣の種別又は真偽を識別する紙幣鑑別装置を備えた紙幣取扱システムであって、
前記紙幣鑑別装置は、
搬送された紙幣の特徴を読み取り、前記紙幣の特徴に基づく紙幣特徴データを出力し、さらに、紙幣が搬送されていない標準状態の出力を示すセンサデータを出力するセンサ部と、
前記紙幣特徴データに基づき、前記紙幣の種別と真偽と再利用の可否の少なくとも１つを識別するための識別データを生成し出力する識別データ生成部と、
前記紙幣特徴データ、前記センサデータ及び前記識別データを記憶するデータ記憶部と、
前記紙幣鑑別装置に着脱可能な携帯型記憶媒体を制御する制御部と、
を有し、
前記携帯型記憶媒体は、紙幣特徴データ保存命令、識別データ保存命令、センサデータ保存命令、動作不良時実行命令、再利用不可紙幣検出時実行命令又はチェンジプログラム実行命令のうち、予め決められた少なくとも１つの作業命令を記憶し、
前記制御部は、
前記携帯型記憶媒体が前記紙幣鑑別装置に取り付けられている所定の取付状態であるか否かを検知する取付検知部と、
前記取付検知部が前記所定の取付状態であると検知した場合にのみ、前記記憶された作業命令を順に実行し、前記記憶された作業命令の実行により得られる実行結果データを出力する作業命令実行部と、
前記実行結果データに含まれる前記識別データと前記センサデータに基づいて前記センサ部の不具合の程度を示すセンサ状態を判定するセンサ状態判定部により判定されたセンサ状態と、前記取得した実行結果データと、を関連付けて、前記携帯型記憶媒体に記録する実行結果データ記録部と、
を有することを特徴とする紙幣取扱システム。
【請求項２】
請求項１記載の紙幣取扱システムであって、
前記実行結果データは、前記紙幣鑑別装置の保守又は前記紙幣鑑別装置の稼働地で流通する紙幣の調査に利用されることを特徴とする、紙幣取扱システム。
【請求項３】
請求項１記載の紙幣取扱システムであって、
前記１以上の作業命令のうち少なくとも１つの作業命令は、前記紙幣鑑別装置の稼動特性を試験的に変更することを指示するものであり、
前記実行結果データは、前記稼動特性の変動に関する検証に利用されることを特徴とする、紙幣取扱システム。
【請求項４】
請求項１記載の紙幣取扱システムであって、
前記実行結果データは、前記センサの出力を表わすデータであり、
前記紙幣取扱システムは、更に、前記センサ状態を表示するセンサ状態表示部を備える紙幣取扱システム。
【請求項５】
請求項１記載の紙幣取扱システムであって、
前記作業命令は、
（ｉ）前記センサ部のゲインを変更することを示す引数をそれぞれ含む複数のチェンジプログラム実行命令であって、前記ゲインの値を通常値とは異なる複数の値に試験的に順次変更して前記紙幣取扱システムを試験的に動作させる複数のチェンジプログラム実行命令と、
（ｉｉ）前記複数のチェンジプログラム実行命令の間に実行され、前記ゲインの値が変更された状態において取得されるセンサデータ及び紙幣特徴データを前記携帯型記憶媒体にそれぞれ保存するセンサデータ保存命令及び紙幣特徴データ保存命令と、
を含み、
前記制御部は、前記作業命令を実行することにより、前記紙幣鑑別装置の稼働地で流通する紙幣を用いた場合の前記紙幣鑑別装置の保守に使用されるデータとして前記センサデータ及び前記紙幣特徴データを前記携帯型記憶媒体に保存する、紙幣取扱システム。
【発明の詳細な説明】
【技術分野】
【０００１】
本発明は、紙幣と有価証券などの紙葉類を取り扱う紙葉類取扱装置における作業命令の実行に関する。
【背景技術】
【０００２】
自動取引装置（以下、ＡＴＭ：Ａｕｔｏｍａｔｅｄ  Ｔｅｌｌｅｒ  Ｍａｃｈｉｎｅｓと呼ぶ）の紙幣鑑別装置は、入金紙幣の特徴をセンサで読み取ることで紙幣の特徴を示す紙幣特徴データを取得し、該紙幣特徴データに基づいて入金紙幣の鑑別を行なっている。紙幣鑑別装置は、このような紙幣特徴データ以外にも種々のデータを、紙幣鑑別装置の保守点検のために記憶している。これらのデータをネットワークで送信することはセキュリティ上問題があるので、ＡＴＭの保守作業員は、紙幣鑑別装置の保守作業を行なう場合、鑑別装置内の機密情報を管理できる人のみで現地までコンピュータを持参し、コンピュータをＡＴＭに接続して、作業環境を構築して、該データをコンピュータに移動させる作業を行なっていた。また、地域によって、流通される紙幣の汚れや印刷のばらつきによる紙幣特徴データのばらつきが大きくなるが、サンプルとして入手できる紙幣はごく一部でしかない。設計者は、その限られたサンプル紙幣の特徴データから、紙幣鑑別アルゴリズムの設計を行っていた。
【０００３】
【特許文献１】特開２０００−２９８７７１号公報
【特許文献２】特開２００２−１５０３６２号公報
【特許文献３】特開２００４−９４６２４号公報
【特許文献４】特開平６−１５０１１４号公報
【発明の開示】
【発明が解決しようとする課題】
【０００４】
しかしながら、各地に点在するＡＴＭまでコンピュータを持参し、コンピュータをＡＴＭに接続し、作業環境を構築して保守作業を行なうことは、保守作業員の大きな労力を必要とする。また、作業に際して、保守作業員は、様々な作業命令をＡＴＭに実行させる必要がある場合があり、保守作業員に高い技術を要求することもあった。また、鑑別装置部の保守は機密性があるため、保守員に対するセキュリティをもたせた状態での保守作業の簡易化が必要となる。さらに、紙幣鑑別の信頼性を上げるため、より多くの紙幣特徴ばらつきデータを採集するには、人手をかけて広い地域に流通する様々な状態の紙幣を借用させてもらうことが必要となる。
【０００５】
このような問題は、ＡＴＭに限らず、紙幣と有価証券などの紙葉類を取り扱う紙葉類取扱装置の保守作業に共通する問題であった。なお、保守作業員が紙葉類取扱装置から取得するデータは、保守作業のためのデータに限らず、記憶容量の制限のために紙葉類取扱装置で記憶しておくことができないデータを取得する場合もある。
【０００６】
本発明は、上記した問題点を解決するためになされたものであり、保守作業員や設計者の作業負担を軽減し、簡便に紙葉類取扱装置からデータを取得する技術を提供することを目的とする。
【課題を解決するための手段】
【０００７】
上記課題の少なくとも一部を解決するため、本発明によるシステムは、
少なくとも紙幣の種別又は真偽を識別する紙幣鑑別装置を備えた紙幣取扱システムであって、
前記紙幣鑑別装置は、
搬送された紙幣の特徴を読み取り、前記紙幣の特徴に基づく紙幣特徴データを出力し、さらに、紙幣が搬送されていない標準状態の出力を示すセンサデータを出力するセンサ部と、
前記紙幣特徴データに基づき、前記紙幣の種別と真偽と再利用の可否の少なくとも１つを識別するための識別データを生成し出力する識別データ生成部と、
前記紙幣特徴データ、前記センサデータ及び前記識別データを記憶するデータ記憶部と、
前記紙幣鑑別装置に着脱可能な携帯型記憶媒体を制御する制御部と、
を有し、
前記携帯型記憶媒体は、紙幣特徴データ保存命令、識別データ保存命令、センサデータ保存命令、動作不良時実行命令、再利用不可紙幣検出時実行命令又はチェンジプログラム実行命令のうち、予め決められた少なくとも１つの作業命令を記憶し、
前記制御部は、
前記携帯型記憶媒体が前記紙幣鑑別装置に取り付けられている所定の取付状態であるか否かを検知する取付検知部と、
前記取付検知部が前記所定の取付状態であると検知した場合にのみ、前記記憶された作業命令を順に実行し、前記記憶された作業命令の実行により得られる実行結果データを出力する作業命令実行部と、
前記実行結果データに含まれる前記識別データと前記センサデータに基づいて前記センサ部の不具合の程度を示すセンサ状態を判定するセンサ状態判定部により判定されたセンサ状態と、前記取得した実行結果データと、を関連付けて、前記携帯型記憶媒体に記録する実行結果データ記録部と、
を有することを特徴とする。
【０００８】
本発明によれば、携帯型記憶媒体を紙幣鑑別装置に取り付けることにより、簡便に紙幣鑑別装置からデータ（実行結果データ）を取得することができる。また、鑑別に用いられるセンサ部の状態を把握することが可能となる。更に、直接紙幣鑑別装置から実行結果データやセンサ状態に関する情報を取得する構成としているので、保守者以外の不正使用者が、例えば紙幣鑑別装置を有するＡＴＭのタッチパネル、カードユニット等を利用して情報を不正に取得することを防ぐことが可能となる。
なお、前記作業命令は、
（ｉ）前記センサ部のゲインを変更することを示す引数をそれぞれ含む複数のチェンジプログラム実行命令であって、前記ゲインの値を通常値とは異なる複数の値に試験的に順次変更して前記紙幣取扱システムを試験的に動作させる複数のチェンジプログラム実行命令と、
（ｉｉ）前記複数のチェンジプログラム実行命令の間に実行され、前記ゲインの値が変更された状態において取得されるセンサデータ及び紙幣特徴データを前記携帯型記憶媒体にそれぞれ保存するセンサデータ保存命令及び紙幣特徴データ保存命令と、
を含み、
前記制御部は、前記作業命令を実行することにより、前記紙幣鑑別装置の稼働地で流通する紙幣を用いた場合の前記紙幣鑑別装置の保守に使用されるデータとして前記センサデータ及び前記紙幣特徴データを前記携帯型記憶媒体に保存するものとしてもよい。
この構成によれば、携帯型記憶媒体に格納された作業命令を実行することによって、稼働地紙幣を用いた場合の紙幣鑑別装置の保守に使用されるデータを携帯型記憶媒体に保存できるので、稼働地紙幣に合わせた装置の保守・点検が容易となる。
【０００９】
前記実行結果データは、前記紙葉類取扱装置の保守又は前記紙葉類取扱装置の稼働地で流通する紙葉類の調査に利用されることを特徴とするものであっても良い。
【００１０】
前記１以上の作業命令のうち少なくとも１つの作業命令は、前記紙葉類取扱装置の稼動特性を試験的に変更することを指示するものであり、前記実行結果データは、前記稼動特性の変動に関する検証に利用されることを特徴とするものとしても良い。
【００１１】
これによれば、携帯型記憶媒体を制御装置に取り付けることにより、稼動特性の変動に関する検証に利用されるデータを取得することができる。
【００１２】
前記紙葉類取扱装置は、更に、前記紙葉類の特徴を読み取るセンサを備え、前記実行結果データは、前記センサの出力を表わすデータであり、前記紙葉類取扱システムは、更に、前記実行結果データに関連付けて、前記センサの不具合の程度を示すセンサ状態を記憶する記憶部と、前記携帯型記憶媒体に保存された前記実行結果データに関連付けられた前記センサ状態を前記記憶部から取得し、表示するセンサ状態表示部とを備えるものとしても良い。
【００１３】
これによれば、センサ状態が出力されるので、利用者はセンサの不具合の程度を知ることができる。
【００１４】
前記紙葉類取扱装置は、更に、前記紙葉類の特徴を読み取り、該特徴に基づく特徴データを出力するセンサと、前記特徴データに基づき、前記紙葉類の種別と真偽と再利用の可否の少なくとも１つを識別するための識別データを生成する識別データ生成部とを備え、前記センサは、該センサの所定の標準状態の出力を示すセンサデータを出力可能であり、前記実行結果データは、前記特徴データと、前記識別データと、前記センサデータのうちの少なくとも１つを含むものとしても良い。
【００１５】
なお本発明は種々の形態で実現可能であり、例えば、紙葉類取扱方法または紙葉類取扱装置またはそれらの機能を実現するためのコンピュータプログラム、そのプログラムを記録した記録媒体等の形態で実現可能である。
【発明を実施するための最良の形態】
【００１６】
図１は、紙幣と有価証券を含む紙葉類を取り扱う紙葉類取扱システム１００００を示す説明図である。紙葉類取扱システム１００００は、保守作業員が紙幣鑑別装置１００の保守作業を実行する際、メモリカード２００を使用して簡便に作業を行なうことを可能とするシステムである。本実施例では、紙葉類は紙幣であるものとして説明する。
【００１７】
紙葉類取扱システム１００００は、自動取引を可能とするＡＴＭ（Ａｕｔｏｍａｔｅｄ  Ｔｅｌｌｅｒ  Ｍａｃｈｉｎｅｓ）１０００と、メモリカード２００と、保守用コンピュータ３００を備える。ＡＴＭ１０００は、ホストコンピュータ２０００に接続されており、ホストコンピュータ２０００との通信を実行したり、取引のために利用者から紙幣を取得したりする。ＡＴＭ１０００は、紙幣鑑別装置１００を備える。紙幣鑑別装置１００は、本発明の紙葉類取扱装置と制御装置に相当する。
【００１８】
紙幣鑑別装置１００は、利用者がＡＴＭ１０００に投入した紙幣を鑑別する。また、本実施例の紙幣鑑別装置１００は、メモリカード２００に記憶されている作業命令を実行する機能を有している。作業命令について詳しくは後述する。紙幣鑑別装置１００は、メモリカード制御部１０と、フラッシュメモリ２０と、ＣＰＵ４０と、ＳＤＲＡＭ５０と、メモリカードコネクタ６０と、センサ部７０と、ＬＥＤ（Ｌｉｇｈｔ  Ｅｍｉｔｔｉｎｇ  Ｄｉｏｄｅ：発光ダイオード）８０を備える。ＣＰＵ４０は、本発明の作業命令実行部と、記録部に相当する。フラッシュメモリ２０は、紙幣鑑別装置１００を動作させるための各種プログラムを記憶している。
【００１９】
メモリカード２００はメモリカードコネクタ６０に取り付けられる。メモリカード制御部１０は、メモリカード２００がメモリカードコネクタ６０に取り付けられたことを検知し、ＣＰＵ４０はメモリカードコネクタ６０に取り付けられたメモリカード２００からの作業命令ファイル２１０の読み出しと、メモリカード２００のデータファイル記憶部２３０へのデータファイル２３１,２３２の保存を実行する。作業命令ファイル２１０とデータファイル２３１,２３２について、詳しくは後述する。メモリカード制御部１０は、ＣＰＵ４０がメモリカード２００からのデータの読み出しとメモリカード２００へのデータの書き込みを実行できる環境を設定したり、また、データの暗号、復号などのデータ変換処理なども実行できる回路であり、本発明の検知部に相当する。
【００２０】
メモリカード制御部１０は、ＣＰＵ４０が解釈可能なようにメモリカード２００の作業命令ファイル２１０のデータ形式を変換する。メモリカード２００に保存されている作業命令ファイル２１０が暗号化されている場合は、暗号を解読してからＣＰＵ４０に出力する。更に、メモリカード制御部１０は、ＣＰＵ４０が出力するデータファイル２３１,２３２をメモリカード２００に保存するデータ形式に変換する処理も実行する。ＣＰＵ４０がデータファイルの暗号化要求を付帯してデータファイル２３１,２３２を出力した場合は、メモリカード制御部１０は、出力されたデータファイルを暗号化してメモリカードコネクタ６０に出力する。なお、ここではメモリカード制御部１０で暗号化または暗号の解読を行なうものとして説明したが、これらの処理はＣＰＵ４０で行なうものとしても良い。
【００２１】
図２は、ＣＰＵ４０と、ＳＤＲＡＭ５０と、センサ部７０の機能を示す説明図である。センサ部７０は、複数のセンサ１〜センサｎを備えている。センサ部７０は、利用者によりＡＴＭ１０００に投入され、搬送路（図示せず）を搬送されている紙幣の特徴を読み取る。紙幣の特徴とは、例えば紙幣の外形や、絵柄や、厚みや、磁気パターンを意味する。そして、センサ部７０は、読み取った特徴を紙幣特徴データとしてＣＰＵ４０に出力する。
【００２２】
図３は、１紙幣分の紙幣特徴データＤｔを示す説明図である。紙幣特徴データＤｔは、センサ１〜センサｎの各々が紙幣の特徴を読み取り、出力したデータである。センサ１が読み取った紙幣特徴データＤｔ０〜Ｄｔ３は、各々異なる特徴を読み取ったデータ値を示す。センサ１〜センサｎには各々複数のチャンネル（例えばＲ，Ｇ，Ｂの３チャンネル）が存在し、複数のチャンネルが各々データを出力する。例えばセンサ１について、紙幣特徴データＤｔ０〜Ｄｔ３毎にデータを出力するチャンネル数が異なる数に予め設定されているので、紙幣特徴データＤｔ０〜Ｄｔ３のデータ数は各々異なる。
【００２３】
図２のセンサ部７０は、更に、搬送路に紙幣が搬送されていない状態で定期的に読み取りを実行し、センサデータを出力する。該センサデータは、センサ部７０の所定の標準状態の出力である標準出力を示す。図４は、センサ部７０が読み取った一回分のセンサデータＳｄを示す説明図である。センサデータＳｄの構成は、紙幣特徴データＤｔの構成と同じである。なお、センサ部７０の標準出力を示すセンサデータＳｄは、サンプルとなる紙をセンサ部７０が読み取り、出力するデータであっても良い。
【００２４】
図２のＣＰＵ４０は、作業命令実行部４１と、識別データ生成部４２と、紙幣判定部４３を備える。作業命令実行部４１は、メモリカード制御部１０から作業命令ファイル２１０を受信すると、作業命令ファイル２１０に記載された作業命令を実行する。作業命令について詳しくは後述する。識別データ生成部４２は、紙幣特徴データＤｔを所定の複数の演算式で演算することにより、識別データを生成する。識別データは、紙幣の種別と真偽と再利用の可否を識別するためのデータである。図５は、識別データＪｕｄを示す説明図である。識別データＪｕｄはデータＪｕｄ０〜Ｊｕｄｎを含み、紙幣ごとに生成される。
【００２５】
図２の紙幣判定部４３は、識別データＪｕｄに基づき、紙幣の種別と真偽と再利用の可否を判定する。ＣＰＵ４０は、紙幣特徴データＤｔと、識別データＪｕｄと、センサデータＳｄをＳＤＲＡＭ５０に保存する。ＳＤＲＡＭ５０には、紙幣鑑別装置１００の起動後に取得された紙幣特徴データＤｔと、識別データＪｕｄと、センサデータＳｄが保存される。しかし、これに限らず、ＳＤＲＡＭ５０には最新の紙幣に関する紙幣特徴データＤｔと、識別データＪｕｄのみ保存するものとしても良いし、最新の１取引分の紙幣特徴データＤｔと識別データＪｕｄを保存するものとしても良い。また、ＳＤＲＡＭ５０には最も新しくセンサ部７０が読み取った１回分のセンサデータＳｄのみ保存されるものとしても良い。
【００２６】
図１のＬＥＤ８０は、メモリカード２００を紙幣鑑別装置１００から取り外し可能か否かを利用者に示すライトである。図６は、ＬＥＤ８０のステータスの種類を示す説明図である。ＬＥＤ８０のステータスは、以下、単にＬＥＤステータスと呼ぶ。ＬＥＤステータスには、Ｔｏｆｆと、ＢＬ５００と、Ｔｏｎと、ＢＬ１００が存在する。ＬＥＤステータスは、ＣＰＵ４０がメモリカード２００の検知状態に応じて変更する。検知状態には、「メモリカード無し」と、「メモリカード認識中・抜き取り可能」と、「メモリカード認識中・抜き取り不可」と、「メモリカード記憶エリア満杯/作業終了」とが存在する。
【００２７】
メモリカード２００がメモリカードコネクタ６０に接続されていない「メモリカード無し」という検知状態では、ＣＰＵ４０はＬＥＤ８０を消灯させる。このＬＥＤステータスをＴｏｆｆと呼ぶ。メモリカード２００がメモリカードコネクタ６０に接続されているが、メモリカード２００に紙幣鑑別装置１００がアクセスしておらず、メモリカード２００を抜き取り可能である「メモリカード認識中・抜き取り可能」状態では、ＣＰＵ４０はＬＥＤ８０を５００ｍｓ周期で点滅させる。このＬＥＤステータスをＢＬ５００と呼ぶ。メモリカード２００がメモリカードコネクタ６０に接続されており、メモリカード２００に紙幣鑑別装置１００がアクセス中で、メモリカード２００を抜き取り不可とする「メモリカード認識中・抜き取り不可」状態では、ＣＰＵ４０はＬＥＤ８０を点灯させる。このＬＥＤステータスをＴｏｎと呼ぶ。メモリカード２００の記憶エリアが満杯である状態、またはＣＰＵ４０が作業命令ファイル２１０の作業命令の実行を終了した「メモリカード記憶エリア満杯/作業終了」状態では、ＣＰＵ４０はＬＥＤ８０を１００ｍｓ周期で点滅させる。このＬＥＤステータスをＢＬ１００と呼ぶ。
【００２８】
メモリカード２００は、作業命令ファイル２１０と、追番管理ファイル２２０とチェンジプログラム２４０を記憶しており、また、これらとは別にデータファイル記憶部２３０を備えている。作業命令ファイル２１０は、作業命令を記憶している。
【００２９】
図７は、作業命令の種類と内容を示す説明図である。作業命令には、紙幣特徴データ保存命令Ｓａｖｅ．ｄａｔと、識別データ保存命令Ｓａｖｅ．ｊｕｄと、センサデータ保存命令Ｍｏｎｉｔｏｒ．ｓｄと、動作不良時実行命令Ｓｕｒｖｅｙ．ｊｕｄ＿ｓｄと、再利用不可紙幣検出時実行命令Ｔｒａｃｅ．ｄａｔと、チェンジプログラム実行命令Ｃｈａｎｇｅ．ｐｒｏｇとが存在する。
【００３０】
作業命令が紙幣特徴データ保存命令Ｓａｖｅ．ｄａｔである場合は、ＣＰＵ４０は、ＳＤＲＡＭ５０に保存されている紙幣特徴データＤｔをメモリカード２００のデータファイル記憶部２３０にデータファイル２３１として保存する。紙幣特徴データＤｔを保存する際のファイル名は、紙幣特徴データ保存命令Ｓａｖｅ．ｄａｔの引数で指定するものとする。ここではデータファイルのファイル名はＤａｔａｆｉｌｅ−ｘｘｘとする。ここで、「ｘｘｘ」はファイルを識別するための追番である。データファイルは、ＳＤＲＡＭ５０に保存されている１紙幣分の紙幣特徴データＤｔごとに作成され、０００〜９９９の追番が０００から順に付される。
【００３１】
例えば、データファイル記憶部２３０に紙幣特徴データ保存命令Ｓａｖｅ．ｄａｔ実行開始後最初に保存されるデータファイルのファイル名は、Ｄａｔａｆｉｌｅ―０００となる。紙幣特徴データ保存命令Ｓａｖｅ．ｄａｔの引数には、ファイル名以外にも、保存するデータファイルのファイル数を指定することができる。例えば、引数が２０であれば、ＣＰＵ４０は、２０個のデータファイルを保存する。また、引数がａｌｌであれば、ＣＰＵ４０は、メモリカード２００がメモリカードコネクタ６０に接続される直前にＳＤＲＡＭ５０に保存された１紙幣分の紙幣特徴データＤｔと、メモリカード２００がメモリカードコネクタ６０に接続されている間にＳＤＲＡＭ５０に新たに保存した紙幣特徴データＤｔを全てデータファイルとしてデータファイル記憶部２３０に保存する。なお、ここでは、引数がａｌｌであれば、ＣＰＵ４０は、メモリカード２００がメモリカードコネクタ６０に接続される直前にＳＤＲＡＭ５０に保存された１紙幣分の紙幣特徴データＤｔをデータファイルとして保存するものとしたが、メモリカード２００を接続した時点でＳＤＲＡＭ５０に記憶されている全ての紙幣特徴データＤｔをデータファイルにして保存するものとしても良い。また、データファイルは、ここでは、１紙幣毎に生成するものとしたが、これに限らず、例えば１取引毎に生成するものとしても良い。
【００３２】
作業命令が識別データ保存命令Ｓａｖｅ．ｊｕｄである場合は、ＣＰＵ４０は、ＳＤＲＡＭ５０に保存されている識別データＪｕｄをメモリカード２００のデータファイル記憶部２３０にデータファイルとして保存する。ファイルは、ＳＤＲＡＭ５０に保存されている１紙幣分の識別データＪｕｄごとに作成される。識別データＪｕｄを保存する際のファイル名はＪｕｄｆｉｌｅ−ｘｘｘとする。データファイルへの追番の付し方や識別データ保存命令Ｓａｖｅ．ｊｕｄの引数の設定の仕方は、作業命令Ｓａｖｅ.ｄａｔの場合と同じである。
【００３３】
作業命令がセンサデータ保存命令Ｍｏｎｉｔｏｒ．ｓｄである場合は、ＣＰＵ４０は、ＳＤＲＡＭ５０に保存されているセンサデータＳｄをメモリカード２００のデータファイル記憶部２３０にデータファイルにして保存する。ファイルは、ＳＤＲＡＭ５０に保存されているセンサ部７０が読み取った１回分のセンサデータＳｄごとに作成される。センサデータＳｄを保存する際のファイル名はＳｄｆｉｌｅ−ｘｘｘとする。ファイルへの追番ｘｘｘの付し方やセンサデータ保存命令Ｍｏｎｉｔｏｒ．ｓｄの引数の設定の仕方は、紙幣特徴データ保存命令Ｓａｖｅ.ｄａｔの場合と同じである。センサデータＳｄは定期的に生成され、ＣＰＵ４０は、センサデータＳｄが生成されると、データファイルとしてメモリカード２００に保存する。
【００３４】
作業命令が動作不良時実行命令Ｓｕｒｖｅｙ．ｊｕｄ＿ｓｄである場合は、ＣＰＵ４０は、紙幣鑑別装置１００に動作不良が生じた際にＳＤＲＡＭ５０に保存されていた識別データＪｕｄとセンサデータＳｄを、各々ファイル名をＳｕｖｊｕｄｆｉｌｅ−ｘｘｘとＳｕｖｓｄｆｉｌｅ−ｘｘｘとしてメモリカード２００のデータファイル記憶部２３０に保存する。つまり、ＣＰＵ４０は、紙幣鑑別装置１００に動作不良が生じることをトリガとして、識別データＪｕｄとセンサデータＳｄの保存を行なう。動作不良とは、例えば、１取引中連続して再利用不可及び偽の紙幣と判定される場合などである。ファイルへの追番ｘｘｘの付し方は、作業命令Ｓａｖｅ.ｄａｔの場合と同じである。保守作業中に動作不良が生じたか否かの判断は保守作業員が行なうものとしても良い。この場合は、動作不良が生じた際に、保守作業員が動作不良時実行命令Ｓｕｒｖｅｙ．ｊｕｄ＿ｓｄが保存されたメモリカード２００をメモリカードコネクタ６０に接続する。これにより、ＣＰＵ４０は動作不良時実行命令Ｓｕｒｖｅｙ．ｊｕｄ＿ｓｄを実行する。つまり、識別データＪｕｄとセンサデータＳｄをデータファイルとしてメモリカード２００に保存する。また、場合によっては、紙幣特徴データＤｔの少なくとも一部を保存することができる。
【００３５】
作業命令が再利用不可紙幣検出時実行命令Ｔｒａｃｅ．ｄａｔである場合は、ＣＰＵ４０は、紙幣判定部４３が紙幣は再利用不可であると判定した際にＳＤＲＡＭ５０に保存されていた再利用不可と判定された紙幣に関する紙幣特徴データＤｔを、ファイル名をＴｒｃｄａｔｆｉｌｅ−ｘｘｘとしてメモリカード２００のデータファイル記憶部２３０に保存する。つまり、ＣＰＵ４０は、紙幣判定部４３が紙幣は再利用不可であると判定することをトリガとして、紙幣特徴データＤｔの保存を行なう。ファイルへの追番ｘｘｘの付し方は、作業命令Ｓａｖｅ.ｄａｔの場合と同じである。
【００３６】
なお、ここでは紙幣判定部４３が、紙幣が再利用不可であると判定した際に、ＣＰＵ４０が再利用不可紙幣検出時実行命令Ｔｒａｃｅ．ｄａｔを実行するものとしたが、紙幣判定部４３が、紙幣が偽の紙幣であると判定した際に、ＣＰＵ４０は再利用不可紙幣検出時実行命令Ｔｒａｃｅ．ｄａｔを実行するものとしても良い。
【００３７】
作業命令がチェンジプログラム実行命令Ｃｈａｎｇｅ．ｐｒｏｇである場合は、ＣＰＵ４０は、メモリカード２００に記憶されているチェンジプログラム２４０を実行する。チェンジプログラム２４０は、引数で指定された変更率でセンサ部７０の入出力特性（ゲイン）を変更するためのプログラムである。引数が指定されなければ、所定値でゲインを変更する。
【００３８】
チェンジプログラム実行命令Ｃｈａｎｇｅ．ｐｒｏｇの内容はこれに限らず、作業命令がチェンジプログラム実行命令Ｃｈａｎｇｅ．ｐｒｏｇである場合は、ＣＰＵ４０は、センサ部７０の制御プログラムをチェンジプログラム２４０に変更するというようにしても良い。チェンジプログラム実行命令Ｃｈａｎｇｅ．ｐｒｏｇで変更される特性やプログラムは、チェンジプログラム実行命令Ｃｈａｎｇｅ．ｐｒｏｇの引数で指定可能であるものとしても良い。
【００３９】
作業命令の引数には、上記したものの他に、各種データファイルを暗号化することを示す引数をつけることができる。該引数が指定されている場合は、ＣＰＵ４０は、データファイルの暗号化要求を付帯してデータファイルを出力し、メモリカード制御部１０がデータファイルの暗号化を実行して、暗号化したデータファイルをメモリカード２００に保存する。
【００４０】
図８は、追番管理ファイル２２０を示す説明図である。追番管理ファイル２２０では、各データファイルＤａｔａｆｉｌｅ,Ｊｕｄｆｉｌｅ,Ｓｄｆｉｌｅ,Ｓｕｖｊｕｄｆｉｌｅ,Ｓｕｖｓｄｆｉｌｅ,Ｔｒｃｄａｔｆｉｌｅに付す追番を管理している。ＣＰＵ４０は、新規にファイルを生成する際、追番管理ファイル２２０が記憶している追番をファイル名に付し、追番管理ファイル２２０の追番を１増加させる。例えば、追番管理ファイル２２０が図８の状態である場合、新規にＤａｔａｆｉｌｅを生成する場合は、ファイル名をＤａｔａｆｉｌｅ−００１とし、追番管理ファイル２２０のＤａｔａｆｉｌｅの追番を００２とする。
【００４１】
図９は、作業命令ファイル２１０の内容を示す説明図である。図９（ａ）は、図１の作業命令ファイルＡａａ．ｃｍｄ２１１であり、図９（ｂ）は、図１の作業命令ファイルＢｂｂ．ｃｍｄ２１２である。作業命令ファイルＡａａ．ｃｍｄ２１１では、センサデータＳｄをメモリカード２００に保存し（コマンド１）、次にセンサ部７０のゲインを変更し（コマンド２）、そしてセンサデータＳｄをメモリカード２００に保存する（コマンド３）ことが指定されている。点線の下線が引いてある部分は引数であり、センサデータ保存命令Ｍｏｎｉｔｏｒ．ｓｄの第１の引数では、データファイルのファイル名が指定されており、第２の引数では生成するデータファイル数が指定されている。チェンジプログラム実行命令Ｃｈａｎｇｅ．ｐｒｏｇの引数ではゲインの変更率が指定されている。図のｍは正の定数である。
【００４２】
作業命令ファイルＡａａ．ｃｍｄ２１１の実行結果により得られたセンサデータＳｄは、チェンジプログラム実行命令Ｃｈａｎｇｅ．ｐｒｏｇによりセンサ部７０の経年劣化や環境変化を模擬的に実現したものであり、コマンド１の実行により得られるセンサデータＳｄとコマンド３の実行により得られるセンサデータＳｄを比較することにより、稼働地流通券を用いて経年劣化時や環境変化時のセンサ部７０の入出力特性の補正を検討するためのデータとなる。なお、チェンジプログラム実行命令Ｃｈａｎｇｅ．ｐｒｏｇが、センサ部７０の制御プログラムをチェンジプログラム２４０に変更するものである場合は、コマンド１,コマンド３の実行により得られたセンサデータＳｄは、制御仕様の変更について検討するためのデータとなる。
【００４３】
作業命令ファイルＢｂｂ．ｃｍｄ２１２では、センサ部７０のゲインを変更し（コマンド４）、紙幣特徴データＤｔをメモリカードに保存し（コマンド５）、再度センサ部７０のゲインを変更する（コマンド６）。チェンジプログラム実行命令Ｃｈａｎｇｅ．ｐｒｏｇの引数ではゲインの変更率が指定されている。図のｋは正の定数である。紙幣特徴データ保存命令Ｓａｖｅ．ｄａｔの第１の引数では、データファイルのファイル名が、第２の引数では生成するデータファイル数が指定されている。作業命令ファイルＢｂｂ．ｃｍｄ２１２の実行結果により得られた紙幣特徴データＤｔは、例えば、センサ出力劣化による紙幣識別能力の限界値を稼働地流通券を用いて検討するためのデータとなる。
【００４４】
ＣＰＵ４０は、作業命令ファイル２１０が複数存在する場合は、それらを順番に実行する。例えば、ここでは作業命令ファイルＡａａ．ｃｍｄ２１１と、作業命令ファイルＢｂｂ．ｃｍｄ２１２を順に実行する。図１０は、ＣＰＵ４０が作業命令ファイルＡａａ．ｃｍｄ２１１,Ｂｂｂ．ｃｍｄ２１２を順に実行する際のセンサ部７０のゲインの変動を示す説明図である。点線は通常時のゲインを示す。作業命令ファイルＡａａ．ｃｍｄ,Ｂｂｂ．ｃｍｄを実行することにより、ゲインは試験的に変更され、再度通常値に戻る。このように、作業命令ファイルＡａａ．ｃｍｄ２１１,Ｂｂｂ．ｃｍｄ２１２は、ＡＴＭ１０００の紙幣鑑別装置１００を試験的に動作させることを指示するものであり、作業命令ファイルＡａａ．ｃｍｄ２１１,Ｂｂｂ．ｃｍｄ２１２を実行することにより得られたデータは、紙幣鑑別装置１００の保守に利用される。
【００４５】
作業命令ファイル２１０の内容は、図９で示したものに限らず、図７の作業命令を組み合わせることにより、様々に設定可能である。また、作業命令ファイル２１０の数も２つに限らず、１以上で様々に設定することができる。更に、作業命令ファイル２１０は暗号化することも可能である。
【００４６】
図１１は、保守作業の実行手順を示すフローチャートである。保守作業の開始以前は、ＬＥＤステータスはＴｏｆｆである。保守作業員は、作業命令ファイル２１０が設定されたメモリカード２００を持参し、ＡＴＭ１０００の設置場所に行き、メモリカード２００を紙幣鑑別装置１００のスロット（図示せず）に挿入する。これにより、メモリカード２００がメモリカードコネクタ６０に接続される。メモリカードコネクタ６０にメモリカード２００が接続されると（ステップＳ１００）、ＣＰＵ４０は、メモリカードアクセス準備中でメモリカード２００を抜き取り不可であることを示すために、ＬＥＤステータスをＴｏｎとする（ステップＳ２００）。次に、ＣＰＵ４０は、作業命令実行処理を行なう（ステップＳ３００）。
【００４７】
図１２は、作業命令実行処理を示すフローチャートである。メモリカード２００のデータファイル記憶部２３０に空きエリアが存在しない場合は（ステップＳ３０１：ＮＯ）、ＣＰＵ４０は、ＬＥＤステータスをＢＬ１００とする（ステップＳ３０２）。この場合は、保守作業員はメモリカード２００を紙幣鑑別装置１００から取り出す（ステップＳ３０３）。メモリカード２００が取り出されると、ＣＰＵ４０はＬＥＤステータスをＴｏｆｆとする（ステップＳ３０４）。なお、作業命令ファイル２１０に記載された作業命令がチェンジプログラム実行命令Ｃｈａｎｇｅ．ｐｒｏｇのみである場合は、ステップＳ３０１の処理を省略するものとしても良い。
【００４８】
データファイル記憶部２３０に空きエリアが存在する場合は（ステップＳ３０１：ＹＥＳ）、ＣＰＵ４０は作業命令ファイルＡａａ．ｃｍｄ２１１を読み込み（ステップＳ３０５）、ＬＥＤステータスをＢＬ５００とする（ステップＳ３０６）。そして、ＣＰＵ４０はＬＥＤステータスをＴｏｎにして作業命令を実行する（ステップＳ３０７）。
【００４９】
作業命令を実行する際には、途中トリガ待ちをする場合がある。ＣＰＵ４０はトリガ待ちの間はＬＥＤステータスをＢＬ５００とする。例えば、作業命令が、動作不良時実行命令Ｓｕｒｖｅｙ．ｊｕｄ＿ｓｄや再利用不可紙幣検出時実行命令Ｔｒａｃｅ．ｄａｔである場合は、トリガとして動作不良や再利用不可紙幣が検出されてから、作業命令が実行される。また、作業命令が紙幣特徴データ保存命令Ｓａｖｅ．ｄａｔである場合は、ＳＤＲＡＭ５０に既に保存されている紙幣特徴データＤｔをデータファイルにする場合以外は、ＳＤＲＡＭ５０に紙幣特徴データＤｔが記録されるまで待機する。つまり、ＳＤＲＡＭ５０に紙幣特徴データＤｔが記録されることをトリガとする。識別データ保存命令Ｓａｖｅ．ｊｕｄやセンサデータ保存命令Ｍｏｎｉｔｏｒ．ｓｄに関しても紙幣特徴データ保存命令Ｓａｖｅ．ｄａｔの場合と同様である。
【００５０】
なお、保守作業員は、サンプルとなる紙幣の紙幣特徴データＤｔを取得することを目的としている場合は、メモリカード２００を接続した後、ＡＴＭ１０００で入金取引を実行し、サンプル紙幣をＡＴＭ１０００の紙幣投入口に投入して、センサ部７０にサンプル紙幣の特徴を読み取らせる。これにより、ＳＤＲＡＭ５０にサンプル紙幣の紙幣特徴データＤｔが保存される。ＣＰＵ４０は、紙幣特徴データ保存命令Ｓａｖｅ．ｄａｔに従い、ＳＤＲＡＭ５０に保存された紙幣特徴データＤｔをデータファイルに保存してデータファイル記憶部２３０に保存する。
【００５１】
また、ＣＰＵ４０は、作業命令実行中にデータファイル記憶部２３０に空きエリアがなくなった場合は、作業命令実行中であってもＬＥＤステータスをＢＬ１００とし、処理を終了するものとしても良い。
【００５２】
なお、ＣＰＵ４０は、メモリカード２００へのデータファイルの保存は、ＡＴＭ１０００の取引動作が行なわれていない間に実行する。但し、メモリカード２００にデータファイルを保存している間にＡＴＭ１０００で取引動作を開始しようとした場合は、取引動作の開始を一時停止し、データファイルの保存が終了するまで待機する。
【００５３】
１つ目の作業命令の実行を終了すると、ＣＰＵ４０は次の作業命令の実行に移行し（ステップＳ３０８）、次の作業命令が存在する場合は、ステップＳ３０１〜Ｓ３０７の処理を繰り返す。１つ目の作業命令ファイルＡａａ．ｃｍｄ２１１の作業命令を全て終了すると（ステップＳ３０８：ＮＯ）、次の作業命令ファイル２１０が存在するか否か調べる（図１１のステップＳ４００）。次の作業命令ファイル（例えば作業命令ファイルＢｂｂ．ｃｍｄ２１２）が存在する場合は、再度作業命令実行処理を行なう（ステップＳ３００）。次の作業命令ファイル２１０が存在しない場合は、ＬＥＤステータスをＢＬ１００とする（ステップＳ５００）。この場合は、保守作業員はメモリカード２００を紙幣鑑別装置１００から取り出す（ステップＳ６００）。メモリカード２００が取り出されると、ＣＰＵ４０はＬＥＤステータスをＴｏｆｆとする（ステップＳ７００）。
【００５４】
作業命令実行処理により、識別データＪｕｄとセンサデータＳｄ（ＳｕｖｊｕｄｆｉｌｅとＳｕｖｓｄｆｉｌｅ）がメモリカード２００に保存された場合は、保守作業員は、図１の保守用コンピュータ３００に、該識別データＪｕｄとセンサデータＳｄに基づいてセンサ状態を判定させることができる。センサ状態について詳しくは後述する。
【００５５】
保守用コンピュータ３００は、記憶部３１０と、センサ状態判定部３２０を備える。記憶部３１０は、図１３の識別データ判定基準テーブル３１１と、図１４のセンサデータ判定基準テーブル３１２を記憶している。センサ状態判定部３２０は、識別データＪｕｄと、識別データ判定基準テーブル３１１を比較し、更に、センサデータＳｄと、センサデータ判定基準テーブル３１２を比較し、センサ状態を判定する。センサ状態判定部３２０は、本発明のセンサ状態表示部に相当する。
【００５６】
図１５は、センサ状態判定部３２０のセンサ状態判定処理を示すフローチャートである。センサ状態判定部３２０は、まず、識別データＪｕｄにより識別データ判定基準テーブル３１１を検索し、判定結果を取得する（ステップＳ１０）。具体的には、識別データＪｕｄには、図５で示したように複数のデータが存在する。センサ状態判定部３２０は、個々のデータについてセンサ状態を判定する。例えば、Ｊｕｄ０のデータ値が○○〜△△の間であれば、「１．良好」と判定し、Ｊｕｄ１の２番目のデータ（識別データ判定基準テーブル３１１ではＪｕｄ１−２と示す）のデータ値が○×〜××の間であれば、「３．警告」と判定する。更に、Ｊｕｄ０〜Ｊｕｄｎは、紙幣ごとに存在するので、全ての紙幣に関するＪｕｄ０〜Ｊｕｄｎについて個別にセンサ状態を判定する。センサ状態判定部３２０は、このように複数のデータ各々についてセンサ状態を判定して導き出した複数のセンサ状態のうち、センサ状態の前に付されている数値が最も大きいセンサ状態を、判定結果として取得する。つまり、複数のセンサ状態が「１．良好」と、「２．注意」と、「３．警告」である場合は、３．警告を判定結果として取得する。なお、複数のセンサ状態全てを判定結果として取得するものとしても良い。このような判定を行えば、センサ出力の劣化により識別データが紙幣の真偽判定をする為のしきい値に近づいている場合に、注意を促すことができる。また、稼働地流通券を用いて識別データがしきい値に近づくような流通券を調査することができる。
【００５７】
次に、センサ状態判定部３２０は、センサデータＳｄにより、センサデータ判定基準テーブル３１２を検索し、判定結果を取得する（ステップＳ２０）。具体的な判定方法は識別データＪｕｄの場合と同じであるので詳しい説明は省略する。但し、センサデータ判定基準テーブル３１２は、センサ１〜センサｎ別に記憶されており、センサ１に関するセンサデータＳｄ０〜Ｓｄｎについては、センサ１に関するセンサデータ判定基準テーブル３１２を使用し、センサ状態を判定する。また、センサ１〜センサｎについて、別個に判定結果を取得する。
【００５８】
そして、センサ状態判定部３２０は、ステップＳ１０,Ｓ２０で取得した判定結果を、センサ状態として保守用コンピュータ３００のモニタ画面に表示する（ステップＳ３０）。
【００５９】
本実施例の紙葉類取扱システム１００００によれば、メモリカード２００を紙幣鑑別装置１００に取り付けることにより、保守作業員は、簡便にＡＴＭ１０００の紙幣鑑別装置１００から各種データを取得することができる。メモリカード２００は持ち運びも容易である。作業命令ファイル２１０に予め作業内容を設定しておくことができ、メモリカード２００を紙幣鑑別装置１００のスロットに挿入すれば作業が進行するので、保守作業員は特別な技術を必要としないで保守作業を行なうことができる。特に、作業命令ファイルＡａａ．ｃｍｄ２１１,Ｂｂｂ．ｃｍｄ２１２を実行することにより、センサ部７０の入出力特性を変更し、保守のためのデータを取得することができる。また、動作不良時実行命令Ｓｕｒｖｅｙ．ｊｕｄ＿ｓｄや再利用不可紙幣検出時実行命令Ｔｒａｃｅ．ｄａｔを実行してデータを取得することにより、異常が起きた時点や再利用不可紙幣が発見された時点でのデータを即座にメモリカード２００に保存することができるので、ＡＴＭ１０００の動作不良時の調査や、再利用不可の紙幣の調査、ＡＴＭ１０００の稼働地で流通する紙幣の調査を効率的に行なうことができる。また、稼働機にて多量の流通券による識別データを蓄積することで、紙幣の真偽判定のしきい値の見直し調査などができる。さらに、紙幣偽造者による偽券の入金テストなどが行われた場合、再利用不可及び偽の紙幣と判定されて入金受付拒否が１取引で５０％以上発生したときに紙幣特徴データＤｔを取得する様にしておけば、偽造者が持ち帰る偽券のデータを残しておくことができる。
【００６０】
また、保守用コンピュータ３００からセンサ状態が出力されるので、利用者はセンサの不具合の程度を知ることができる。更に、ＬＥＤ８０を備え、メモリカード２００へのアクセス状況などに応じてＬＥＤステータスを変更するので、利用者はメモリカード２００を紙幣鑑別装置１００から取り外し可能か否か知ることができる。
【００６１】
また、本実施例の紙葉類取扱システム１００００によれば、紙幣特徴データＤｔや識別データＪｕｄやセンサデータＳｄの取得作業をメモリカード２００のみで運用することができるので、ネットワーク経由の遠隔操作でデータ取得作業をしたり、ホストコンピュータ２０００などにデータ送信することもないので、セキュリティが保たれる。データファイル２３１,２３２や作業命令ファイル２１０を暗号化することにより、更にセキュリティが向上する。暗号化されたデータファイル２３１,２３２の解読は特定の管理者のみが実行可能であるものとしても良い。また、暗号化された作業命令ファイル２１０の解読は、メモリカード制御部１０または作業命令ファイル２１０の作成者のみが実行可能であるものとしても良い。
【００６２】
また、本実施例の紙葉類取扱システム１００００によれば、記憶容量の制限のためにＡＴＭ１０００で記憶しておくことのできないデータをメモリカード２００に保存することも可能である。また、通信時間などの制約があり、紙幣鑑別装置１００の上位装置であるＡＴＭ１０００に紙幣特徴データＤｔなどを送信できない場合にも、本実施例のメモリカード２００を利用することができる。
【００６３】
その他の実施例：
（１）上記実施例では、メモリカード２００の記憶エリアが満杯の場合と、作業終了時のＬＥＤステータスを同じであるものとしたが、別個のステータスにしても良い。例えば、作業終了時のＬＥＤステータスは、２００ｍｓ間隔でＬＥＤ８０が点滅するものとしても良い。
【００６４】
（２）上記実施例では、センサ状態判定部３２０は、識別データＪｕｄとセンサデータＳｄに基づいてセンサ状態を判定して出力するが、紙幣特徴データＤｔを取得する作業命令を備え、紙幣特徴データＤｔに基づいてセンサ状態を出力するものとしても良い。
【００６５】
（３）上記実施例では、センサ部７０は、定期的にセンサデータＳｄを出力するものとして説明したが、これに限らず、センサデータ保存命令Ｍｏｎｉｔｏｒ．ｓｄが出された場合に、ＣＰＵ４０がセンサ部７０にセンサデータＳｄを出力する指示を出し、センサ部７０がセンサデータＳｄを出力するようになるものとしても良い。この場合、センサデータ保存命令Ｍｏｎｉｔｏｒ．ｓｄの引数で、センサデータＳｄを出力する間隔を指定可能とするものとしても良い。この場合、引数で指定された回数分センサデータＳｄが出力されると、ＣＰＵ４０は、センサ部７０にセンサデータＳｄを出力することを停止する指示を出す。また、上記実施例では、作業命令がチェンジプログラム実行命令Ｃｈａｎｇｅ．ｐｒｏｇである場合は、センサ部７０の入出力特性（ゲイン）、即ちセンサ特性を変更するものとして説明しているが、変更するのはセンサ特性に限らず、ＡＴＭ１０００や紙幣鑑別装置１００の他の稼動特性を変更するようにしても良い。
【００６６】
（４）上記実施例では、センサ状態の判定を保守用コンピュータ３００で実行しているが、ＡＴＭ１０００や紙幣鑑別装置１００で実行するものとしても良い。紙幣鑑別装置１００で実行する場合は、識別データがしきい値ギリギリの「注意」や「警告」が出た場合に、その紙幣特徴データＤｔをメモリカード２００に取得しておくこともできる。また、センサ劣化による故障モードになる前に上位制御部１１０又はＡＴＭ１０００に対してアラームを上げることが可能になる。
【００６７】
（５）上記実施例では、紙葉類取扱装置はＡＴＭ１０００であるものとして説明したが、紙葉類取扱装置はこれに限らず、自動販売機や現金自動支払機（Ｃａｓｈ  Ｄｉｓｐｅｎｓｅｒ）や発券装置であるものとしても良い。
【００６８】
（６）上記実施例では、携帯型記憶媒体はメモリカード２００であるものとして説明したが、メモリカード２００に限らず、ハードディスクやＤＶＤ−ＲＡＭなどの他の記憶媒体を用いた携帯型記憶媒体であっても良い。
【００６９】
以上、実施例に基づき本発明に係る紙葉類取扱システム,紙葉類取扱装置,紙葉類取扱方法および紙葉類取扱装置の機能を実現させるためのプログラムを説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれることはもちろんである。
【図面の簡単な説明】
【００７０】
【図１】紙幣と有価証券を含む紙葉類を取り扱う紙葉類取扱システム１００００を示す説明図である。
【図２】ＣＰＵ４０とＳＤＲＡＭ５０とセンサ部７０を詳細に示す説明図である。
【図３】１紙幣分の紙幣特徴データＤｔを示す説明図である。
【図４】センサ部７０が読み取った一回分のセンサデータＳｄを示す説明図である。
【図５】識別データＪｕｄを示す説明図である。
【図６】ＬＥＤ８０のステータスの種類を示す説明図である。
【図７】作業命令の種類と内容を示す説明図である。
【図８】追番管理ファイル２２０を示す説明図である。
【図９】作業命令ファイル２１０を示す説明図である。
【図１０】ＣＰＵ４０が作業命令ファイルＡａａ．ｃｍｄ２１１,Ｂｂｂ．ｃｍｄ２１２を順に実行する際のセンサ部７０のゲインの変動を示す説明図である。
【図１１】保守作業の実行手順を示すフローチャートである。
【図１２】作業命令実行処理を示すフローチャートである。
【図１３】識別データ判定基準テーブル３１１を示す説明図である。
【図１４】センサデータ判定基準テーブル３１２を示す説明図である。
【図１５】センサ状態判定部３２０のセンサ状態判定処理を示すフローチャートである。
【符号の説明】
【００７１】
１０…メモリカード制御部
２０…フラッシュメモリ
４０…ＣＰＵ
４１…作業命令実行部
４２…識別データ生成部
４３…紙幣判定部
５０…ＳＤＲＡＭ
６０…メモリカードコネクタ
７０…センサ部
８０…ＬＥＤ
１００…紙幣鑑別装置
２００…メモリカード
２１０…作業命令ファイル
２１１…作業命令ファイルＡａａ
２１２…作業命令ファイルＢｂｂ
２２０…追番管理ファイル
２３０…データファイル記憶部
２３１,２３２…データファイル
２４０…チェンジプログラム
３００…保守用コンピュータ
３１０…記憶部
３２０…センサ状態判定部
３１１…識別データ判定基準テーブル
３１２…センサデータ判定基準テーブル
１０００…ＡＴＭ
２０００…ホストコンピュータ
１００００…紙葉類取扱システム
Ｄａｔａｆｉｌｅ…データファイル
Ｄｔ…紙幣特徴データ
Ｊｕｄ…識別データ
Ｓｄ…センサデータ
Ｓａｖｅ．ｄａｔ…紙幣特徴データ保存命令
Ｓａｖｅ．ｊｕｄ…識別データ保存命令
Ｍｏｎｉｔｏｒ．ｓｄ…センサデータ保存命令
Ｓｕｒｖｅｙ．ｊｕｄ＿ｓｄ…動作不良時実行命令
Ｔｒａｃｅ．ｄａｔ…再利用不可紙幣検出時実行命令
Ｃｈａｎｇｅ．ｐｒｏｇ…チェンジプログラム実行命令
【図１】
0004804864.tif 000002
【図２】
0004804864.tif 000003
【図３】
0004804864.tif 000004
【図４】
0004804864.tif 000005
【図５】
0004804864.tif 000006
【図６】
0004804864.tif 000007
【図７】
0004804864.tif 000008
【図８】
0004804864.tif 000009
【図９】
0004804864.tif 000010
【図１０】
0004804864.tif 000011
【図１１】
0004804864.tif 000012
【図１２】
0004804864.tif 000013
【図１３】
0004804864.tif 000014
【図１４】
0004804864.tif 000015
【図１５】
0004804864.tif 000016